(57)【特許請求の範囲】
【請求項１】
画像信号を入力する入力部と、
画像信号を表示する表示部と、
入力部から入力された画像信号を表示部に表示させるための処理を行う処理部と、
入力部から入力された画像信号に対し周波数特性の劣化を抑制する処理を行うドライバ部と、
ドライバ部から出力された画像信号、またはドライバ部を経由しない画像信号のいずれかを選択的に出力する出力部と、
画像信号を終端するための終端部と、を備え、
前記表示部が画像信号の表示を行うとき、前記出力部はドライバ部から出力された画像信号を出力し、前記表示部が画像信号の表示を行わないとき、前記出力部はドライバ部を経由しない画像信号を出力し、
前記表示部が画像信号の表示を行わないとき、前記終端部は終端を行わない、
ことを特徴とする画像表示装置。
【発明の詳細な説明】
【技術分野】
【０００１】
本発明は、複数組み合わせて使用される画像表示装置や、当該画像表示装置を複数備えるマルチ画像表示装置に関する。
【背景技術】
【０００２】
近年、複数の画像表示装置を備えたマルチ画像表示装置が普及している。マルチ画像表示装置は、一つの画像を分割して得られる各部の画像を各画像表示装置が表示することにより、当該一つの画像を大型表示することができる。また、例えばブックメーカーでのオッズ表示等、一つの画像を複数の画像表示装置で表示することも可能である。
【０００３】
このようなマルチ画像表示装置の中には、画像表示装置を直列に接続する所謂デイジーチェーン接続を行うものがある（特許文献１参照）。デイジーチェーン接続を行うと、前段の画像表示装置から後段の画像表示装置へと順次画像信号を伝達することが可能となるため、配線など構成を簡略化することが可能となる。
【先行技術文献】
【特許文献】
【０００４】
【特許文献１】特開２０００−２００４２号公報
【発明の概要】
【発明が解決しようとする課題】
【０００５】
デイジーチェーン接続を行う場合、後段の画像表示装置に入力される画像信号の周波数特性の劣化を抑制するため、各画像表示装置はドライバ部によって調整した画像信号を後段の画像表示装置へと出力する。ただし、ドライバ部を動作させるためには、例えば０．１〜１Ｗ程度の電力が必要となる。画像表示装置が表示状態であれば、多大な電力を消費するため、全消費電力中のドライバ部の消費電力が占める割合は小さく問題にならない。しかしながら、スタンバイ状態では全消費電力中のドライバ部の消費電力が占める割合が大きいため、ドライバ部の動作の許否が与える影響は大きくなる。特に、スタンバイ状態の消費電力は例えば１Ｗ以下であることが望ましく、ドライバ部を動作させると達成が困難となる。
【０００６】
そこで、本発明は、スタンバイ状態の消費電力を低減する画像表示装置や、当該画像表示装置を備えたマルチ画像表示装置を提供することを目的とする。
【課題を解決するための手段】
【０００７】
上記目的を達成するために、本発明における画像表示装置は、画像信号を入力する入力部と、画像信号を表示する表示部と、入力部から入力された画像信号を表示部に表示させるための処理を行う処理部と、入力部から入力された画像信号に対し周波数特性の劣化を抑制する処理を行うドライバ部と、ドライバ部から出力された画像信号、またはドライバ部を経由しない画像信号のいずれかを選択的に出力する出力部と、を備えることを特徴とする。
【０００８】
また、上記構成の画像表示装置において、表示部が画像信号の表示を行うとき、出力部はドライバ部から出力された画像信号を出力し、表示部が画像信号の表示を行わないとき、出力部はドライバ部を経由しない画像信号を出力することとしても構わない。
【０００９】
このように構成すると、表示部が画像信号の表示を行わないとき、即ちスタンバイ状態であるときに、ドライバ部に電力を供給して動作させる必要がなくなる。そのため、スタンバイ状態の消費電力を低減することが可能となる。また、表示部が画像信号の表示を行うとき、即ち表示状態であるときに、ドライバ部を経由した画像信号を後段の画像表示装置に出力することが可能となる。そのため、後段の画像表示装置が、周波数特性の劣化が抑制された画像信号の表示を行うことが可能となる
【００１０】
また、上記構成の画像表示装置において、画像信号を終端するための終端部をさらに備え、表示部が画像信号の表示を行わないとき、終端部は終端を行わないこととしても構わない。
【００１１】
このように構成すると、画像信号が複数の終端部により終端されて劣化することを抑制することが可能となる。
【００１２】
また、上記構成の画像表示装置において、終端部が終端抵抗を備えることとしても構わない。
【００１３】
また、上記構成の画像表示装置において、ドライバ部が、画像信号に電流値を所定の値に調整する処理を施すこととしても構わない。
【００１４】
また、本発明のマルチ画像表示装置は、複数の画像表示装置が直列接続されてなるマルチ画像表示装置であって、画像表示装置は、画像信号を入力する入力部と、画像信号を表示する表示部と、入力部から入力された画像信号を表示部に表示させるための処理を行う処理部と、入力部から入力された画像信号に対し周波数特性の劣化を抑制する処理を行うドライバ部と、ドライバ部から出力された画像信号、またはドライバ部を経由しない画像信号のいずれかを選択的に出力する出力部と、画像信号を終端するための終端部と、を備え、全ての画像表示装置の表示部が画像信号を表示しない場合、いずれか１つの画像表示装置の終端部を用いて終端を行うこととしても構わない。
【発明の効果】
【００１５】
本発明の構成とすると、画像表示装置のスタンバイ時の消費電力を低減することが可能となる。
【図面の簡単な説明】
【００１６】
【図１】は、本発明の実施形態におけるマルチ画像表示装置の構成の一例について示すブロック図である。
【図２】は、本発明の実施形態における画像表示装置の構成の一例について示すブロック図である。
【図３】は、本発明の実施形態における画像表示装置に備えられる出力切替部の切替制御例について示すフローチャートである。
【発明を実施するための形態】
【００１７】
以下、本発明における画像表示装置やマルチ画像表示装置の実施形態について、図面を参照して説明する。最初に、マルチ画像表示装置の構成例及び動作例について説明する。
【００１８】
＜＜マルチ画像表示装置＞＞
図１は、本発明の実施形態におけるマルチ画像表示装置の構成の一例について示すブロック図である。図１に示すように、マルチ画像表示装置Ｍは、複数の画像表示装置Ｄを備える。以下、画像表示装置をＤｎ（ｎは自然数）でも表現し、ｎが大きい画像表示装置ほど後段の画像表示装置とする。なお、図１に示すマルチ画像表示装置Ｍは、水平方向に３個、垂直方向に３個、合計で９個の画像表示装置Ｄ１〜Ｄ９を備える。
【００１９】
また、画像表示装置Ｄは、信号線Ｓで接続される。以下、信号線をＳｎでも表現し、ｎが大きい信号線ほど後段の画像表示装置Ｄを接続するものとする。特に、画像表示装置Ｄｎ，Ｄｎ＋１間を接続し、画像表示装置Ｄｎから出力された画像信号を画像表示装置Ｄｎ＋１に入力する信号線をＳｎとする。なお、図１に示すマルチ画像表示装置Ｍの終段の画像表示装置Ｄ９は、後段に画像信号を出力するための信号線Ｓを備えない。そのため、マルチ画像表示装置Ｍは、Ｓ１〜Ｓ８の８本の信号線を備える。
【００２０】
また、マルチ画像表示装置Ｍの初段の画像表示装置Ｄ１には、画像信号出力装置Ｅから出力される画像信号が入力される。画像表示装置Ｄ１は、入力される画像信号の表示／非表示にかかわらず、信号線Ｓ１を介して後段の画像表示装置Ｄ２に画像信号を出力する。以下同様に、画像表示装置Ｄｎは、信号線Ｓｎ−１を介して入力される画像信号の表示／非表示にかかわらず、信号線Ｓｎを介して後段の画像表示装置Ｄｎ＋１に画像信号を出力する。そして、終段の画像表示装置Ｄ９まで画像信号が伝達される。なお、個々の画像表示装置Ｄｎの動作については、後述する。
【００２１】
上述のように、画像信号出力装置Ｅから出力される画像信号は、それぞれの画像表示装置Ｄ１〜Ｄ９に入力される。画像表示装置Ｄ１〜Ｄ９は、画像信号の全体をそれぞれで表示（複数表示）したり、画像信号の各部分をそれぞれで表示（全体表示）したりする。
【００２２】
なお、画像出力装置１０として、例えば、テレビジョン放送を受信する受信装置や、記録媒体に記録された画像を出力する再生装置、パソコンなどを適用することとしても構わない。
【００２３】
＜＜画像表示装置＞＞
次に、本発明の実施形態に係る画像表示装置について図面を参照して説明する。本発明の実施形態における画像表示装置の構成の一例について示すブロック図である。なお、図２に示す画像表示装置Ｄｎは、図１に示したマルチ画像表示装置Ｍの中段（初段及び終段以外）に用いられるものである。
【００２４】
図２に示すように、画像表示装置Ｄｎは、信号線Ｓｎ−１が接続されて画像信号が入力される入力端子Ｔｉと、入力端子Ｔｉに入力される画像信号を終端する終端抵抗Ｒと、入力端子Ｔｉと終端抵抗Ｒとの接続の可否を切り替える終端切替部Ｃｔと、入力端子Ｔｉに入力された画像信号に所定の処理を施す信号処理部Ｐと、信号処理部Ｐで処理された画像信号を表示する表示部Ｌと、入力端子Ｔｉに入力された画像信号の電流値を調整して出力するドライバ部Ａと、ドライバ部Ａで調整された画像信号とドライバ部で調整されていない画像信号とのいずれか一方を選択的に出力する出力切替部Ｃｏと、出力切替部Ｃｏから出力される画像信号を接続される信号線Ｓｎに出力する出力端子Ｔｏと、出力切替部Ｃｏ及び終端切替部Ｃｔの切替を制御する制御部Ｘと、を備える。
【００２５】
終端抵抗Ｒは、インピーダンス整合を行い画像信号が適切な電圧値で表現されるようにするために、所定の抵抗値（例えば７５Ω）となっている。終端抵抗Ｒの抵抗値をこの所定の値から変更すると、画像信号の波形が乱れ、表示部Ｌで表示される画像が劣化する。なお、終端抵抗Ｒは一端が接地され、他端が終端切替部Ｃｔに接続される。また、終端切替部Ｃｔによって、入力端子Ｔｉと終端抵抗Ｒの他端との接続の可否が切り替えられる。
【００２６】
信号処理部Ｐは、マルチ画像表示装置Ｍが複数表示を行う場合、入力される画像信号のスケーリング（拡大や縮小）や輝度調整などを行い、表示部Ｌに適した画像信号を出力する。一方、マルチ画像表示装置Ｍが全体表示を行う場合、複数表示時の上記処理の他に、画像信号から所定の部分を取得する処理を行う。また、表示部Ｌは、例えば液晶パネルなどで構成され、信号処理部Ｐから出力される画像信号の表示を行う。なお、画像表示装置Ｄｎがスタンバイ状態になると、これらの部分には電力が供給されず、動作をしないこととなる。
【００２７】
ドライバ部Ａは、入力される画像信号の電流値が所定の値になるように調整（ドライブ）して出力する。画像信号は、複数の信号線Ｓや画像表示装置Ｄを経て伝達されることで、その周波数特性が劣化する。特に、解像度が高い（高周波成分が多い、例えばＵＸＧＡ（Ultra Extended Graphics Array）程度）画像信号であると、劣化が著しくなる。そこで、ドライバ部Ａで画像信号の調整を行い、後段の画像表示装置Ｄに入力される画像信号の周波数特性の劣化を抑制する。
【００２８】
なお、初段の画像表示装置Ｄ１では、入力端子Ｔｉに信号線Ｓが接続されず、代わりに、画像信号出力装置Ｅから出力された画像信号を伝達する信号線が接続される。また、終段の画像表示装置Ｄ９では、出力端子Ｔｏに信号線が接続されず、画像信号が出力されない構成となる。
【００２９】
また、以下において出力切替部Ｃｏ及び終端切替部Ｃｔの切替動作例について説明することで、画像表示装置Ｄｎの画像信号の伝達方法を説明する。なお、出力切替部Ｃｏ及び終端切替部Ｃｔの切替動作の制御は、制御部Ｘによって行われる。
【００３０】
＜出力切替部＞
図３は、本発明の実施形態における画像表示装置に備えられる出力切替部の切替動作例について示すフローチャートである。図３に示すように、切替動作が開始されると、最初に制御部Ｘが機器情報を取得する（ＳＴＥＰ１）。機器情報とは例えば、画像表示装置Ｄｎの状態（表示状態またはスタンバイ状態）を示す情報や、状態を切り替える指示を示す情報などである。
【００３１】
次に、ＳＴＥＰ１で取得された機器情報より、画像表示装置Ｄｎがスタンバイ状態であるか表示状態であるかを制御部Ｘが確認する（ＳＴＥＰ２）。画像表示装置Ｄｎがスタンバイ状態である場合（ＳＴＥＰ２、ＹＥＳ）、出力切替部Ｃｏが入力端子Ｔｉから入力される画像信号を出力（スルー出力）するように、切替制御を行う（ＳＴＥＰ３）。なお、ＳＴＥＰ３において出力切替部Ｃｏがスルー出力となる場合、ドライバ部Ａには電力が供給されず、停止する。
【００３２】
ここで、ＳＴＥＰ１で取得された機器情報より、画像表示装置Ｄｎを表示状態にする指示が入力されたか否かを制御部Ｘが確認する（ＳＴＥＰ４）。画像表示装置Ｄｎを表示状態にする指示が入力されていない場合（ＳＴＥＰ４、ＮＯ）、そのまま終了する。したがって、画像表示装置Ｄｎはスタンバイ状態であり、出力切替部Ｃｏはスルー出力の状態となる。
【００３３】
一方、画像表示装置Ｄｎが表示状態である（ＳＴＥＰ２、ＮＯ）、または表示状態にする指示が入力されている（ＳＴＥＰ４、ＹＥＳ）場合、制御部Ｘが、出力切替部Ｃｏがドライバ部Ａから出力される画像信号を出力（ドライバ部出力）するように、切替制御を行う（ＳＴＥＰ５）。
【００３４】
ここで、ＳＴＥＰ１で取得された機器情報より、画像表示装置Ｄｎをスタンバイ状態にする指示が入力されたか否かを制御部Ｘが確認する（ＳＴＥＰ６）。画像表示装置Ｄｎをスタンバイ状態にする指示が入力されていない場合（ＳＴＥＰ６、ＮＯ）、そのまま終了する。したがって、画像表示装置Ｄｎは表示状態であり、出力切替部Ｃｏはドライバ部出力の状態となる。
【００３５】
一方、画像表示装置Ｄｎをスタンバイ状態にする指示が入力されている場合（ＳＴＥＰ６、ＹＥＳ）、ＳＴＥＰ３に進む。即ち、制御部Ｘが、出力切替部Ｃｏが入力端子Ｔｉから入力される画像信号を出力（スルー出力）するように、切替制御を行う（ＳＴＥＰ３）。
【００３６】
以上のように出力切替部Ｃｏを切り替えると、ドライバ部Ａの消費電力が問題とならない表示状態ではドライバ部Ａを用いて調整した画像信号を出力して、後段の画像表示装置Ｄが表示する画像信号の周波数特性の劣化を抑制することが可能となる。また、ドライバ部Ａの消費電力が問題となるスタンバイ状態ではドライバ部Ａを用いない画像信号を出力して、消費電力を低減することが可能となる。
【００３７】
なお、画像表示装置Ｄｎごとに、出力切替部Ｃｏの切替をユーザが任意に制御することができる構成としても構わない。例えば、ユーザが消費電力の低減よりも、後段の画像表示装置Ｄでの画質の劣化の抑制を望む場合には、スタンバイ状態であっても出力切替部Ｃｏをドライバ出力にすることができる構成としても構わない。具体的に例えば、「スタンバイ時省電力モード」がＯＮであれば、図３に示すように出力切替部Ｃｏの状態を切り替え、ＯＦＦであれば出力切替部Ｃｏを常にドライバ部出力としても構わない。
【００３８】
また、ユーザが後段の画像表示装置Ｄでの画質の劣化の抑制よりも、表示状態での消費電力の低減を望む場合には、表示状態であっても出力切替部Ｃｏをスルー出力にすることができる構成としても構わない。具体的に例えば、「表示時省電力モード」がＯＮであれば出力切替部Ｃｏを常にスルー出力とし、ＯＦＦであれば図３に示すように出力切替部Ｃｏの状態を切り替えても構わない。
【００３９】
また、終段の画像表示装置Ｄ９は、後段の画像表示装置Ｄが存在しないため、出力切替部Ｃｏを常にスルー出力としても構わない。例えば、図３のＳＴＥＰ１で取得した機器情報に基づいて、制御部Ｘが終段の画像表示装置Ｄ９であることを認識することで、出力切替部Ｃｏをスルー出力にしても構わない。
【００４０】
また、制御部Ｘが終段の画像表示装置Ｄ９であるか否かを認識するために、ユーザが画像表示装置Ｄ９に入力するマルチ画像表示装置Ｍ内の配置情報や、出力端子Ｔｏに接続される信号線Ｓの有無を示す情報、出力端子Ｔｏに接続される信号線Ｓの先に接続される画像表示装置Ｄの有無を示す情報、などの各種情報を用いても構わない。
【００４１】
また、図３の切替動作を、ユーザから何らかの指示（例えば、表示状態またはスタンバイ状態の切替指示や、スタンバイ時省電力モードの切替指示）が入力されたときに行うこととしても構わない。
【００４２】
＜終端切替部＞
次に、終端切替部Ｃｔの切替動作について説明する。終端切替部Ｃｔは、制御部Ｘによって例えば以下のように切替動作が制御される。
【００４３】
［第１制御例］
本制御例では、終端切替部Ｃｔを原則的にＯＦＦ（終端抵抗Ｒの他端と入力端子Ｔｉとを接続しない）とする。ただし、終段の画像表示装置Ｄ９の終端切替部ＣｔのみＯＮ（終端抵抗Ｒの他端と入力端子Ｔｉとを接続する）とする。
【００４４】
例えば、初段及び中段の画像表示装置Ｄ１〜Ｄ８の終端切替部ＣｔをＯＮにすると、いずれかの画像表示装置Ｄｎの出力切替部Ｃｏがスルー出力となる場合、画像表示装置Ｄｎ，Ｄｎ＋１の終端抵抗Ｒが並列に接続されたこととなる。即ち、終端抵抗Ｒの抵抗値が規定値である７５Ωから低下し（例えば、二つの終端抵抗Ｒが並列になれば略半分になり）、上述のようなインピーダンス整合を行うことが困難となる。
【００４５】
したがって、本制御例のように終段の画像表示装置Ｄ９以外の終端切替部ＣｔをＯＦＦにすることで、画像信号の波形が乱れを抑制し、各画像表示装置Ｄで表示される画像の劣化を抑制することが可能となる。
【００４６】
［第２制御例］
本制御例では、終端切替部Ｃｔの切替動作を、出力切替部Ｃｏの切替動作に連動させる。具体的には、出力切替部Ｃｏがスルー出力である場合に終端切替部ＣｔをＯＦＦとし、出力切替部Ｃｏがドライバ部出力である場合に終端切替部ＣｔをＯＮにする。ただし、終段の画像表示装置Ｄ９の終端切替部ＣｔはＯＮにする。
【００４７】
このように構成すると、上記の第１制御例と同様に、出力切替部Ｃｏがスルー出力である場合にインピーダンス整合を行うことが可能となる。そのため、画像信号の波形が乱れを抑制し、各画像表示装置Ｄで表示される画像の劣化を抑制することが可能となる。
【００４８】
さらに、出力切替部Ｃｏがドライバ部出力である場合に、ドライバ部Ａが調整する画像信号が、終端抵抗Ｒによって終端された画像信号となる。そのため、ドライバ部Ａから出力される画像信号が、異常に増幅されたものとなることを抑制することが可能となる。
【００４９】
なお、上記第１及び第２制御例において、制御部Ｘが終段の画像表示装置Ｄ９であるか否かを認識するために、ユーザが画像表示装置Ｄ９に入力するマルチ画像表示装置Ｍ内の配置情報や、出力端子Ｔｏに接続される信号線Ｓの有無を示す情報、出力端子Ｔｏに接続される信号線Ｓの先に接続される画像表示装置Ｄの有無を示す情報、などの各種情報を用いても構わない。
【００５０】
＜＜変形例＞＞
上述の画像表示装置Ｄでは、終端抵抗Ｒを用いて画像信号を終端する場合について述べたが、終端抵抗Ｒの代わりに周知の他の終端回路を適用しても構わない。
【００５１】
また、本発明の実施形態における画像表示装置Ｄについて、制御部Ｘや終端切替部Ｃｔ、出力切替部Ｃｏの動作を、マイコンなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【００５２】
また、上述した場合に限らず、図１のマルチ画像表示装置Ｍや図２の画像表示装置Ｄｎは、ハードウェア、或いは、ハードウェアとソフトウェアの組み合わせによって実現可能である。また、ソフトウェアを用いてマルチ画像表示装置Ｍや画像表示装置Ｄｎを構成する場合、ソフトウェアによって実現される部位についてのブロック図は、その部位の機能ブロック図を表すこととする。
【００５３】
以上、本発明における実施形態について説明したが、本発明の範囲はこれに限定されるものではなく、発明の主旨を逸脱しない範囲で種々の変更を加えて実行することができる。
【産業上の利用可能性】
【００５４】
本発明は、複数組み合わせて使用される画像表示装置や、当該画像表示装置を複数備えるマルチ画像表示装置に関する。特に、入力される画像信号を表示するとともに、後段の画像表示装置に画像信号を出力する画像表示装置に関する。
【符号の説明】
【００５５】
Ｍ    マルチ画像表示装置
Ｅ    画像信号出力装置
Ｄ    画像表示装置
Ｓ    信号線
Ｔｉ  入力端子
Ｔｏ  出力端子
Ｒ    終端抵抗
Ａ    ドライバ部
Ｐ    信号処理部
Ｌ    表示部
Ｃｔ  終端切替部
Ｃｏ  出力切替部
【図１】
0005394161.tif 000002
【図２】
0005394161.tif 000003
【図３】
0005394161.tif 000004